(57)【要約】【課題】汚泥脱水ケーキ貯留槽からの悪臭の発生防止する方法を提供する。【解決手段】汚泥脱水ケーキ貯留槽１内を減圧し、汚泥脱水ケーキ貯留槽１から外部へ臭気が漏れるのを防止する通常工程と、汚泥脱水ケーキ貯留槽１内を加圧し、汚泥脱水ケーキ１２を脱水し余剰水１３を取り出す加圧工程と、汚泥脱水ケーキ貯留槽１内を気圧開放し、汚泥脱水ケーキ１２を好気化する減圧工程とからなる。汚泥脱水ケーキ貯留槽１内の臭気物質の濃度が第１閾値を越えた時に、通常工程から前記加圧工程に切り替わる。また、通常工程と加圧工程と減圧工程からなるサイクルが繰り返されるとよい。【選択図】    図１
2010058045.tif 000002
【特許請求の範囲】
【請求項１】
汚泥脱水ケーキ貯留槽内を減圧し、汚泥脱水ケーキ貯留槽から外部へ臭気が漏れるのを防止する通常工程と、
汚泥脱水ケーキ貯留槽内を加圧し、汚泥脱水ケーキを脱水し余剰水を取り出す加圧工程と、
汚泥脱水ケーキ貯留槽内を大気開放し、汚泥脱水ケーキを好気化する減圧工程と、
からなる汚泥脱水ケーキ貯留槽からの悪臭発生防止方法。
【請求項２】
前記通常工程で減圧ポンプにより吸収された汚泥脱水ケーキ貯留槽内の空気を脱臭する工程を含む請求項１に記載の汚泥脱水ケーキ貯留槽からの悪臭発生防止方法。
【請求項３】
汚泥脱水ケーキ貯留槽内の臭気物質の濃度が第１閾値を越えた時に、前記通常工程から前記加圧工程に切り替える請求項１または２に記載の汚泥脱水ケーキ貯留槽からの悪臭発生防止方法。
【請求項４】
前記通常工程と前記加圧工程と前記減圧工程からなるサイクルが繰り返される請求項１乃至３に記載の悪臭発生防止方法。
【請求項５】
前記サイクルが繰り返されるごとに、前記加圧工程の加圧力が初期設定値から段階的に増加していく請求項４に記載の悪臭発生防止方法。
【請求項６】
通常工程で汚泥脱水ケーキ貯留槽内の臭気物質の濃度が第２閾値以下になった場合には加圧工程の加圧力が初期設定値に戻る請求項５に記載の悪臭発生防止方法。
【請求項７】
汚泥脱水ケーキ貯留槽が耐圧構造を有し、
該汚泥脱水ケーキ貯留槽内を減圧する減圧装置と、
該汚泥脱水ケーキ貯留槽内を加圧する加圧装置と、
汚泥脱水ケーキを貯留する汚泥脱水ケーキ貯留部と、
汚泥脱水ケーキから脱水した余剰水を貯留する余剰水貯留部と、
該汚泥脱水ケーキ貯留槽内を大気開放する大気開放装置と、
からなることを特徴とする汚泥脱水ケーキ貯留槽からの悪臭発生防止装置。
【発明の詳細な説明】
【技術分野】
【０００１】
本発明は、汚泥脱水ケーキ貯留槽からの悪臭の発生を防止する方法及び悪臭発生防止装置に関する。
【背景技術】
【０００２】
汚泥脱水ケーキ貯留槽からの悪臭の発生を防止する方法として、悪臭を除去したり、汚泥を曝気処理して脱臭する方法つまり汚泥に空気を供給し好気性の活性汚泥などの微生物に溶存臭気物質の代謝を行わせる方法や、余剰汚泥を８０℃以上の温度で保持して殺菌する方法などが行われている。また、汚泥に亜硝酸塩等薬品を添加して悪臭を防止する方法が提案されている。
【０００３】
【特許文献１】特開２００３−２９０７９３号公報
【特許文献２】特開２００２−１８６９９５号公報
【発明の開示】
【発明が解決しようとする課題】
【０００４】
しかし、汚泥を曝気処理したり高温で細菌類を殺菌する方法の汚泥の処理方法では悪臭を十分に抑えることができない。また、亜硝酸塩等の薬品の添加による処理方法では処理コスト増大を招くと共に、場合によっては特殊な設備が必要であったり、薬品等が人体に害を及ぼす虞がある。
【０００５】
本発明は、以上のような問題点に鑑み、汚泥脱水ケーキ貯留槽からの悪臭の発生を防止をすることを課題とする。
【課題を解決するための手段】
【０００６】
上記の課題は、汚泥脱水ケーキ貯留槽内を減圧し、汚泥脱水ケーキ貯留槽から外部へ臭気が漏れるのを防止する通常工程と、
汚泥脱水ケーキ貯留槽内を加圧し、汚泥脱水ケーキを脱水し余剰水を取り出す加圧工程と、
汚泥脱水ケーキ貯留槽内を大気開放し、汚泥脱水ケーキを好気化する減圧工程とからなる汚泥脱水ケーキ貯留槽からの悪臭発生防止方法により解決される。
【０００７】
この汚泥脱水ケーキ貯留槽からの悪臭の発生防止方法では、工程に応じて貯留槽内を減圧・加圧するだけで汚泥脱水ケーキを好気化させ悪臭の発生を防止することができ、薬剤等を使う必要がない。また、汚泥脱水ケーキ貯留槽を耐圧構造とし、減圧ポンプと加圧ポンプを設けることで実現できるので複雑な設備が必要なく、簡易な設備で汚泥脱水ケーキの悪臭を防止することができる。
【０００８】
また、加圧工程で汚泥脱水ケーキを加圧し余剰水を取り出すことで、汚泥脱水ケーキの含水率をさらに低減させることができ、汚泥脱水ケーキの減容化を図ることができ、また嫌気化の抑制にもなる。
【０００９】
またこの悪臭発生防止方法において、通常工程で減圧ポンプにより吸収された汚泥脱水ケーキ貯留槽内の空気を脱臭する工程を含んでいるとよい。
【００１０】
減圧ポンプにより吸収された汚泥脱水ケーキ貯留槽内の空気が脱臭されるため、悪臭が外部に漏れるのを防ぐことができる。
【００１１】
また汚泥脱水ケーキ貯留槽内の臭気物質の濃度が第１閾値を越えた時に、通常工程から前記加圧固定に切り替えるとよい。
【００１２】
臭気物質の濃度を基準として工程の切替が行われるため、貯留槽内の汚泥脱水ケーキの状況に応じて適切なタイミングで工程が切り替わり、効率よく貯留槽からの悪臭の発生を防止することができる。
【００１３】
またこの悪臭発生防止方法において、通常工程と加圧工程と減圧工程からなるサイクルが繰り返されるとよい。
【００１４】
通常工程と加圧工程と減圧工程からなるサイクルを繰り返し行うことにより実現するものであるから、定期的に減圧工程で汚泥脱水ケーキの好気化が行われることで、汚泥脱水ケーキの嫌気化が抑制され悪臭の発生が防止される。また、少ないエネルギーで効率よく悪臭の発生を防止することができる。
【００１５】
またこのサイクルが繰り返しにおいて、加圧工程の加圧力が初期設定値から段階的に増加していくとよい。
【００１６】
減圧工程で汚泥脱水ケーキを好気化するには、爆砕的処理を行い汚泥脱水ケーキの内部に空気を含ませることが必要であるが、汚泥脱水ケーキの状況によって爆砕的な処理に適した槽内の圧力は異なる。サイクルが繰り返されるごとに加圧工程の加圧力を増加させていくことで、貯留槽内の圧力を高め適切な圧力の下で、減圧工程において汚泥脱水ケーキの爆砕的処理を行うことができる。
【００１７】
さらにこのサイクルが繰り返しにおいて、通常工程で汚泥脱水ケーキ貯留槽内の臭気物質の濃度が第２閾値以下になった場合には加圧工程の加圧力が初期設定値に戻るとよい。
【００１８】
臭気の発生するおそれのない基準まで汚泥脱水ケーキが処理されれば、減圧工程で最適な加圧力のもとで汚泥脱水ケーキの爆砕処理がなされるため、次サイクルの加圧工程でさらに加圧力を増加する必要はない。また、不必要なエネルギーの省力化にもつながる。
【００１９】
またこの悪臭発生防止方法は、汚泥脱水ケーキ貯留槽が耐圧構造を有し、
該汚泥脱水ケーキ貯留槽内を減圧する減圧装置と、
該汚泥脱水ケーキ貯留槽内を加圧する加圧装置と、
汚泥脱水ケーキを貯留する汚泥脱水ケーキ貯留部と、
汚泥脱水ケーキから脱水した余剰水を貯留する余剰水貯留部と、
該汚泥脱水ケーキ貯留槽内を大気開放する大気開放装置
とからなることを特徴とする汚泥脱水ケーキ貯留槽からの悪臭発生防止装置によっても実現される。
【発明の効果】
【００２０】
本発明は以上のとおりであるから、汚泥脱水ケーキ貯留槽からの悪臭の発生防止することができる。
【発明を実施するための最良の形態】
【００２１】
次に、本発明の実施最良形態を図面に基づいて説明する。
【００２２】
図１に示す悪臭発生防止装置１は、汚泥脱水ケーキ１２を貯留する汚泥脱水ケーキ貯留槽２と汚泥脱水ケーキ１２から脱水した余剰水１３を貯留する余剰水貯留部３とからなり、汚泥脱水ケーキ貯留部２と余剰水貯留部３はそれぞれを仕切るセパレータ４で分割され、セパレータ４には余剰水を通す孔４ａ、４ａ・・が設けられている。余剰水貯留部３には余剰水１２を外部に排出するための余剰水排出口１０が接続されている。
【００２３】
また、汚泥脱水ケーキ貯留槽１には、貯留槽内の圧力を減圧する減圧ポンプ５と減圧ポンプにより貯留槽内から引き込んだ気体を蓄え、気体内に含まれる臭気物質を脱臭する脱臭装置７を設けた脱臭槽６が接続されている。また、貯留槽内の圧力を加圧する加圧ポンプ８と貯留槽内に接続され貯留槽内に外気を取り込み貯留槽内を大気開放するための大気開放バルブ９が設けられている。また汚泥脱水ケーキ貯留槽１内には汚泥脱水ケーキ貯留槽１内の臭気物質の濃度を測定する濃度測定装置１１が設けられている。
【００２４】
汚泥脱水ケーキ貯留槽からの臭気発生防止は次の手順によって行われる。
【００２５】
<通常工程>
汚泥脱水ケーキ貯留槽１内に保管された汚泥脱水ケーキ１２から臭気が発生し、汚泥脱水ケーキ貯留槽１から外部に漏れ出すのを防止するために、減圧ポンプ５を稼働させ汚泥脱水ケーキ貯留槽１内を一定の減圧状態に維持する。また、減圧ポンプ５により引き出された臭気は脱臭槽６へ送られ、脱臭槽６内に設けられた脱臭装置７によって脱臭される。脱臭方法は、汚泥脱水ケーキ１２から発生する臭気物質に適した脱臭方法が選択されればよく、例えば活性炭による脱臭が行われてもよい。
【００２６】
汚泥脱水ケーキ貯留槽１内には、貯留槽内部の臭気物質の濃度を測定する濃度測定装置１１が設けられ、汚泥脱水ケーキ貯留槽１内の臭気物質濃度を測定する。汚泥脱水ケーキ貯留槽１内の臭気物質濃度が設定された閾値（第１閾値）以下であれば、このまま通常工程を維持する。しかし、汚泥脱水ケーキ貯留槽１内の臭気物質濃度が設定された閾値（第１閾値）を越えた場合には、次の加圧工程に移行する。ここで閾値（第１閾値）は、汚泥脱水ケーキ１２から発生する臭気物質に適した臭気物質濃度に設定されればよいが、例えば発生する臭気物質の悪臭防止法に定められた基準値（例えば硫化水素の場合、０．０２ｐｐｍ）などを基に設定されればよい。また、通常工程から加圧工程への切り替えは手動で行われてもよいし、自動制御により行われてもよい。通常工程から加圧工程への切り替えが汚泥脱水ケーキ貯留槽１内の臭気物質濃度を基準として行われるので、汚泥脱水ケーキ貯留槽の悪臭の発生を防止するのに最適なタイミングで切り替えが行われる。
【００２７】
<加圧工程>
通常工程から加圧工程に移行すると、減圧ポンプ５を停止させ加圧ポンプ８を稼働させる。汚泥脱水ケーキ貯留槽１内を加圧状態にすることで汚泥脱水ケーキ貯留槽１内の汚泥脱水ケーキ貯留部２に蓄えられた汚泥脱水ケーキ１２に圧力が加えられ、汚泥脱水ケーキ１２からのさらなる脱水が促進される。脱水により発生した余剰水１３は、汚泥脱脂貯留槽２と余剰水貯留槽３を仕切るセパレータ４に設けられた孔４ａ，４ａ・・を通じて汚泥脱水貯留槽２側から余剰水貯留槽３側へと取り込まれる。余剰水貯留槽３に貯留された余剰水３は、余剰水貯留部３に接続された余剰水排出口１０を通じて、浄化槽へと戻される。加圧工程で汚泥脱水ケーキを加圧し余剰水を取り出すことで、汚泥脱水ケーキの含水率をさらに低減させることができ、汚泥脱水ケーキの減容化を図ることができ、また嫌気化の抑制にもなる。
【００２８】
加圧工程での加圧により汚泥脱水貯留槽１内の圧力が設定した圧力に達すると、次の減圧工程に移行する。
ここで、加圧工程から減圧工程に移行するための汚泥脱水貯留槽１内の圧力は常に一定ではなく、後述するように通常工程〜加圧工程〜減圧工程からなる１サイクルごとに段階的に設定圧力を上げていくように制御される。これは、減圧工程で行われる汚泥脱水ケーキ１２の爆砕処理に適した汚泥脱脂貯留槽内の圧力は汚泥脱水ケーキの成分その他の状況によって異なるため、１サイクルごとに加圧力を上げていき、汚泥脱水ケーキの爆砕処理に最も適した加圧力になるまでサイクルを繰り返す。サイクルが繰り返されるごとに加圧工程の加圧力を増加させていくことで、貯留槽内の圧力を高め適切な圧力の下で、減圧工程において汚泥脱水ケーキの爆砕的処理を行うことができる。１サイクルごとの加圧力の増加量は１サイクルにつき一定値づつ増加させてもよいし、サイクル数か増えるに従って加圧力の増加量を増やしてもよいし、逆に減らしてもよい。
【００２９】
<減圧工程>
減圧工程では、加圧ポンプ８を停止させ、汚泥脱水ケーキ貯留槽１に接続され汚泥脱水ケーキ貯留槽１内に大気を取り込む大気開放バルブ９を開放し、汚泥脱水ケーキ貯留槽１内の圧力を大気圧とする。大気開放バルブ９を一気に開放することで、汚泥脱水ケーキ貯留槽１内は、加圧状態から大気圧状態への激しい圧力変動が生じ、汚泥脱水ケーキ１２は爆砕処理により汚泥脱水ケーキ１２の塊の内部に空気が取り込まれ、汚泥脱水ケーキは好気化する。汚泥脱水ケーキ１２が好気化した状態では、汚泥脱水ケーキ１２からの臭気の発生が抑制される。
【００３０】
減圧工程で爆砕処理がなされた後、大気開放バルブ９を閉じ、再び汚泥脱脂ケーキ貯留槽１内を大気と遮断し、減圧ポンプ５を稼働させる通常工程に移行する。ここで、汚泥脱水ケーキ貯留槽１内の臭気物質濃度が設定された閾値（第２閾値）以下であれば、次のサイクルの加圧工程で加える加圧力は初期設定値に戻されるが、設定された閾値（第２閾値）を越えていれば、前のサイクルのときに加えられた加圧力よりも高い加圧力で加圧工程が行われることになる。つまり通常工程で臭気物質濃度が第２閾値以下にならない限り、サイクルごとの各加圧工程の加圧力は増加していくことになる。１サイクルごとの加圧力の増加量は１サイクルにつき一定値づつ増加させてもよいし、サイクル数か増えるに従って加圧力の増加量を増やしてもよいし、逆に減らしてもよい。ここで閾値（第２閾値）は、汚泥脱水ケーキ１２から発生する臭気物質に適した臭気物質濃度に設定されればよいが、通常工程から加圧工程に移行するときに基準とされる閾値（第１閾値）よりも低い値が設定される。
【００３１】
通常工程において、汚泥脱水ケーキ１２から臭気が発生し、汚泥脱水ケーキ貯留槽１内の臭気物資の濃度が設定された閾値（第１閾値）を越えた場合には、次の加圧工程に移行し悪臭発生防止のサイクルを再開する。
【００３２】
この汚泥脱水ケーキ貯留槽からの悪臭の発生防止方法では、工程に応じて貯留槽内を減圧・加圧するだけで悪臭の発生を防止することができ、薬剤等を使う必要がない。また、汚泥脱水ケーキ貯留槽を耐圧構造とし、減圧ポンプと加圧ポンプを設けることで実現できるので複雑な設備が必要なく、簡易な設備で汚泥脱水ケーキの悪臭を防止することができる。
【００３３】
また、加圧工程で汚泥脱水ケーキを加圧し余剰水を取り出すことで、汚泥脱水ケーキの含水率をさらに低減させることができ、汚泥脱水ケーキの減容化を図ることができ、また嫌気化の抑制にもなる。
【００３４】
さらに、この悪臭発生防止方法では、通常工程と加圧工程と減圧工程からなるサイクルを繰り返し行うことにより実現するものであるから、定期的に減圧工程で汚泥脱水ケーキの好気化が行われることで、汚泥脱水ケーキの嫌気化が抑制され悪臭の発生が防止される。
【００３５】
以上に、本発明の実施形態を示したが、本発明はこれに限られるものではなく、発明思想を逸脱しない範囲で各種の変更が可能である。例えば、上記の実施形態では、汚泥脱水ケーキ貯留槽の減圧ポンプと加圧ポンプが別体である場合について示したが、一体型であってもよい。
【００３６】
また、各工程の移行は手動で行われてもよいし、自動制御により行われてもよい。
【００３７】
また、上記実施形態では、
【図面の簡単な説明】
【００３８】
【図１】汚泥脱水ケーキの悪臭発生を防止する装置の概略を示す説明図である。
【図２】汚泥脱水ケーキの悪臭発生防止方法の工程を示すフロー図である。
【符号の説明】
【００３９】
１・・・汚泥脱水ケーキ貯留槽
２・・・汚泥脱水ケーキ貯留部
３・・・余剰水貯留部
５・・・減圧ポンプ
６・・・脱臭槽
７・・・脱臭装置
８・・・加圧ポンプ
９・・・大気開放バルブ
１１・・・濃度測定装置
１２・・・汚泥脱水ケーキ
１３・・・余剰水
【図１】
2010058045.tif 000003
【図２】
2010058045.tif 000004